(57)【要約】【課題】卓上型の切断機で発生する切断粉を周囲に飛散させることなく確実に回収可能な集塵装置を提案すること。【解決手段】卓上型の切断機の集塵装置１は、切断機２の丸鋸刃２１の鋸刃カバー２５に形成された排出口２７に接続可能な吸引ホース４１を備えた集塵機４と、吸引ホース４１の先端側の部位に形成した吸引口４３と、モータ２２を除き、丸鋸刃２１の切断動作に干渉しない状態で切断機２を覆う可撓性素材からなる集塵用のカバー５とを備えている。発生した切断粉は周囲に飛散することなくカバー５内に捕捉される。モータ２２がカバー５の外にあり、そこから発生する風によって捕捉された切断粉が開口部５１から周囲に飛散することもない。捕捉された切断粉は吸引口４３から吸引ホース４１を介して集塵機４に回収される。【選択図】      図１
2005014309.tif 000002
【特許請求の範囲】
【請求項１】
丸鋸刃と、鋸刃カバーと、前記鋸刃カバーに形成された排出口と、前記丸鋸刃を回転駆動するモータとを備え、前記丸鋸刃を押し下げて被切断物を切断する卓上型切断機から発生する切断粉を回収する集塵装置であって、
前記排出口に接続可能な吸引ホースを備えた集塵機と、
前記吸引ホースの途中位置に形成した吸引口と、
前記切断機に被せた集塵用の袋状カバーとを有し、
前記袋状カバーは可撓性素材から形成されたものであり、前記卓上型切断機の後側から被せられ、その開口部が前方に開き、前記鋸刃による切断動作に干渉しないように配置されており、
前記吸引ホースは前記袋状カバーを貫通して延びており、前記吸引口が当該袋状カバーの内側に位置している集塵装置。
【請求項２】
丸鋸刃と、この丸鋸刃を回転駆動するモータと、前記丸鋸刃で被切断物を切断したときの切断粉を回収する回収ケースとを備えた手押し型の切断機から発生する切断粉を回収する集塵装置であって、
前記回収ケースの排出口に接続可能な吸引ホースを備えた集塵機と、
前記切断機を搭載可能な搭載台とを有し、
前記吸引ホースの吸引口は、前記搭載台の所定位置に前記切断機を搭載すると、前記回収ケースの排出口と前記吸引ホースが接続された状態になる集塵装置。
【請求項３】
請求項２において、
前記集塵機は、前記切断機を搭載台に載せると集塵動作を開始し、搭載台から外すと集塵動作を停止する集塵装置。
【請求項４】
請求項３において、
前記集塵機は、前記切断機を搭載台に載せると予め定めた時間だけ集塵動作を行う集塵装置。
【請求項５】
請求項２、３または４において、
前記搭載台には、前記切断機を置いたときに、当該切断機から突出する丸鋸刃を逃がす溝部分が形成されている集塵装置。
【発明の詳細な説明】
【０００１】
【発明の属する技術分野】
本発明は、卓上型スライド丸鋸や、手押し型丸鋸など丸鋸刃を回転させて被切断物の切断を行う切断機で被切断物を切断したときの切断粉を回収するための集塵装置に関するものである。
【０００２】
【従来の技術】
丸鋸刃を回転させて被切断物の切断を行う切断機としては、図３（ａ）、（ｂ）に示すように、丸鋸刃２１を回転駆動するモータ２２を備え、丸鋸刃２１を押し下げて材料搭載台２４に載せた被切断物３を切断する卓上型の切断機２がある。また、図４（ａ）に示すように、丸鋸刃６１と、丸鋸刃６１を回転させるモータ６２とを備え、取っ手６３を持って丸鋸刃６１を切断方向に進めて被切断物３を切断する手押し型の切断機６がある。
【０００３】
卓上型の切断機２、および手押し型の切断機６のどちらにおいても、被切断物３の切断を行うと、切断粉が周囲に飛散して切断現場が汚れてしまうため、切断粉の回収を行う必要がある。
【０００４】
そこで、卓上型の切断機２では、図３（ａ）、（ｂ）に示すように、丸鋸刃２１の上部鋸刃カバー２５に排出口２７を形成して集塵袋２８を取り付けている。また、図３（ｃ）に示すように、集塵袋２８の代わりに集塵機４の吸引ホース４１を接続することにより、切断粉を集塵機４に回収することもできる。
【０００５】
手押し型の切断機６では、図４（ａ）に示すように、切断粉を集塵するための回収ケース６４が取り付けられたものがある。この回収ケース６４には、回収した粉塵を取り出すために排出用蓋６５が形成されている。排出用蓋６５には、集塵機４の吸引ホース４１の接続口６６も形成されている。したがって、図４（ｂ）に示すように、接続口６６に吸引ホース４１を接続して、切断機６で切断しながら、集塵機４で切断粉を回収できる。
【０００６】
【発明が解決しようとする課題】
しかしながら、卓上型の切断機２においては、上部鋸刃カバー２５に形成された排出口２７から回収される切断粉は、丸鋸刃２１によって排出口２７の方向に巻き上げられたものだけであり、排出口２７と異なる方向に巻き上げられる切断粉や、モータ２２からの風によって巻き上げられる切断粉は、周囲に飛散して回収できないという問題点がある。
【０００７】
一方、手押し型の切断機６においては、回収ケース６４にほとんどの切断粉を回収することができる。しかしながら、回収ケース６４が一杯になるたびに、排出用蓋６５を開いて切断粉を排出すると、切断粉の排出に手間がかかる。また、回収ケース６４に集塵機４の吸引ホース４１を接続したまま、切断作業を行えば、切断粉の排出の手間をなくすことができるが、吸引ホース４１によって切断機６の取り回しが不自由になってしまうという問題点がある。
【０００８】
本発明の課題は、丸鋸刃を回転させて切断を行う切断機で発生する切断粉を周囲に飛散させることなく確実に回収可能な集塵装置を提案することにある。
【０００９】
また、本発明の課題は、切断機の集塵ケースに溜まる切断粉を簡単に回収可能な集塵装置を提案することにある。
【００１０】
【課題を解決するための手段】
上記の課題を解決するために、本発明は、丸鋸刃と、鋸刃カバーと、前記鋸刃カバーに形成された排出口と、前記丸鋸刃を回転駆動するモータとを備え、前記丸鋸刃を押し下げて被切断物を切断する卓上型切断機から発生する切断粉を回収する集塵装置であって、
前記排出口に接続可能な吸引ホースを備えた集塵機と、
前記吸引ホースの途中位置に形成した吸引口と、
前記切断機に被せた集塵用の袋状カバーとを有し、
前記袋状カバーは可撓性素材から形成されたものであり、前記卓上型切断機の後側から被せられ、その開口部が前方に開き、前記鋸刃による切断動作に干渉しないように配置されており、
前記吸引ホースは前記袋状カバーを貫通して延びており、前記吸引口が当該袋状カバーの内側に位置していることを特徴としている。
【００１１】
本発明の集塵装置は、卓上型の切断機を、そのモータを除いてカバーで覆うので、作業現場に切断粉が飛散することがない。また、カバー内の切断粉は、カバー内に開口している吸引口から集塵機の側に吸引されるので、カバー内に溜まった切断粉を確実に回収できる。
【００１２】
次に、本発明は、丸鋸刃と、この丸鋸刃を回転駆動するモータと、前記丸鋸刃で被切断物を切断したときの切断粉を回収する回収ケースとを備えた手押し型の切断機から発生する切断粉を回収する集塵装置であって、
前記回収ケースの排出口に接続可能な吸引ホースを備えた集塵機と、
前記切断機を搭載可能な搭載台とを有し、
前記吸引ホースの吸引口は、前記搭載台の所定位置に前記切断機を搭載すると、前記回収ケースの排出口と前記吸引ホースが接続された状態になることを特徴としている。
【００１３】
本発明の集塵装置では、切断粉の回収ケースを備えた手押し型の切断機を搭載台に載せ、回収ケースの排出口を吸引ホースの吸引口に接続することにより、回収ケース内の切断粉を回収することができる。従って、切断作業は、切断機単体を取り回して行えばよいので、取り回しがよく、切断機を搭載台に載せて切断粉の回収を行う際には、次の作業の段取りを行うことができる。
【００１４】
前記集塵機は、前記切断機を搭載台に載せると集塵動作を開始し、搭載台から外すと集塵動作を停止するように構成することができる。また、前記切断機を搭載台に載せると予め定めた時間だけ集塵動作を行うように構成してもよい。
【００１５】
また、前記搭載台には、前記切断機を置いたときに、当該切断機から突出する丸鋸刃を逃がす溝部分が形成されていることが好ましい。このように構成すると、搭載台に切断機を安定した姿勢で載せることができる。
【００１６】
【発明の実施の形態】
以下に図面を参照して、本発明を適用した集塵装置の実施の形態を説明する。
【００１７】
（卓上型の切断機の集塵装置）
図１（ａ）および（ｂ）は、本発明を適用した集塵装置を備えた卓上型の切断機を示す斜視図および切断時の状態を示す斜視図である。集塵装置１は、図３に示したような卓上型の切断機２で被切断物３を切断したときの切断粉を回収するものである。
【００１８】
卓上型の切断機２は、丸鋸刃２１と、丸鋸刃２１を回転駆動するモータ２２とを備え、モータ２２のケースに取り付けたハンドル２３を掴んで押し下げると、材料搭載台２４に載せた被切断物３に丸鋸刃２１を向けて押し当てて切断することが可能である。丸鋸刃２１は、上側が上部鋸刃カバー２５で覆われており、下側が下部鋸刃カバー２６で覆われている。下部鋸刃カバー２６は、丸鋸刃２１が押し下げられると、丸鋸刃２１の周方向に開いて、丸鋸刃２１の切断部分を露出させるようになっている。また、上部鋸刃カバー２５には、丸鋸刃２１の回転によって巻き上げられた切断粉を排出する排出口２７が形成されている。
【００１９】
集塵装置１は、排出口２７に接続される吸引ホース４１を備えた集塵機４と、吸引ホース４１の先端で排出口２７に接続される第１の吸引口４２から二股に分かれた第２の吸引口４３と、切断機２を覆う可撓性素材、例えばプラスチックフィルムからなるカバー５を備えている。カバー５は、モータ２２を除いて切断機２の後側から手前側に被せた袋状カバーであり、その開口部５１が切断機２の前方を向く状態で当該切断機２に取り付けられており、カバーの底部５２には、吸引ホース４１を引き出すための孔が形成されている。
【００２０】
前方に向いているカバー５の開口部５１は、その上側部分５１１が切断機２の上部鋸刃カバー２５に固定され、下側部分５１２が材料搭載台２４の下側に固定されている。丸鋸刃２１が押し下げられた時は、カバー５２の開口部５１の左右の部分５１３、５１４が材料搭載台２４の上面あるいはそこに載せた被切断物３に覆い被さるようになっている。
【００２１】
このように構成された集塵装置１では、切断機２で被切断物３の切断を行うと、集塵機４が卓上型の切断機２の上部鋸刃カバー２５に形成された排出口２７に接続されているので、排出口２７に向かって丸鋸刃２１で巻き上げられた切断粉を集塵機４で回収することができる。
【００２２】
また、切断機２で切断した際に、排出口２７の方向以外に飛散する切断粉は、カバー５の内部に閉じ込められ、吸引ホース４１の第２の吸引口４３から集塵機４に回収される。
【００２３】
このように本形態の集塵装置１では、卓上型の切断機２における丸鋸刃２１の全体がカバー５で覆われており、カバー５内の切断粉は、上部鋸刃カバー２５に形成された排出口２７に向かって巻き上げられたものが第１の吸引口４２に吸引され、それ以外のものはカバー５内部で第２の吸引口４３に吸引される。よって、作業現場に切断粉が飛散することがない。また、モータ２２はカバー５の外側に位置しているので、モータ２２から発生する風で切断粉が舞い上がることがない。従って、切断粉を確実に回収することができる。
【００２４】
（手押し型の切断機の集塵装置）
次に、切断粉の回収ケースを備えた手押し型の切断機に用いる集塵装置１０について説明する。
【００２５】
図２（ａ）および（ｂ）は集塵装置および使用状態を示す斜視図である。集塵装置１０は、図４に示したような手押し型の切断機６で被切断物３を切断したときの切断粉を回収するものである。
【００２６】
手押し型の切断機６は、図４を参照して説明した通りの構造であり、丸鋸刃６１を回転駆動するモータ６２を備え、モータ６２のケースに取り付けたハンドル６３を掴んでモータの回転スイッチ６３１を入れた状態で丸鋸刃６１を回転させながら被切断物３の表面を切断方向に押し進めると、丸鋸刃６１で被切断物３を切断することが可能である。また、切断粉の回収ケース６４を備えており、回収ケース６４に溜まった切断粉は、排出用蓋６５をあけて取り出すことができる。また、排出用蓋６５には、吸引ホース４１の接続口６６も形成されている。
【００２７】
集塵装置１０は、排出口６６に接続可能な吸引ホース４１を備えた集塵機４と、切断機６を搭載するための搭載台７を備えている。
【００２８】
搭載台７は、搭載面７１と、搭載面７１の下側の集塵機取り付け部７２とを備えている。搭載面７１には、切断機６から下方に突出する鋸刃部分を逃がす溝部分７１１が形成され、安定した姿勢で切断機６を搭載することができる。また、搭載面７１には、集塵機４からの吸引ホース４１の先端４１１が切断機６の排出口６６に差し込み可能な位置に取り付けられている。
【００２９】
集塵機４は、切断機６を搭載面７１に載せて、排出口６６に吸引ホース４１が差し込まれた状態になると、運転スイッチがオンになり、切断機６を排出口６６が吸引ホース４から外れる位置に動かすと、運転スイッチがオフになるようになっている。また、集塵機４は、所定の時間、例えば、一分間の運転で運転スイッチがオフになるようになっている。
【００３０】
このように構成された集塵装置１０では、切断機６で被切断物の切断を行い、回収ケース６４からの切断粉の排出を行う際に、切断機６を搭載面７１に載せて、排出口６６を吸引ホース４に差し込み可能な位置にすると、集塵機４が運転して回収ケース６４から切断粉の回収ができる。集塵機４は、切断機６を移動させるか、所定の時間運転すると、運転停止状態となる。
【００３１】
このように本形態の集塵装置１０は、切断粉の回収ケース６４を備えた手押し型の切断機６を搭載台７に載せ、回収ケース６４の排出口６６を吸引ホース４１に差し込むと、回収ケース６４内の切断粉を回収することができる。従って、切断作業は、切断機６単体を取り回して行えばよいので、取り回しがよく、切断機６を搭載台７に載せて切断粉の回収を行う際には、次の作業の段取りを行うことができる。
【００３２】
【発明の効果】
以上説明したように、本発明の卓上型切断機の集塵装置では、モータを除き切断機の全体を、切断動作に干渉しない状態で、集塵用のカバーで覆うようにしている。また、カバーを貫通して延びる吸引ホースの吸引口をカバーの内部に開口させてある。したがって、切断時に発生した切断粉が周囲に飛散することなくカバー内に捕捉される。また、捕捉された切断粉は吸引口から吸引され、吸引ホースを経由して集塵機によって回収される。従って、本発明によれば、発生した切断粉を、周囲に飛散させることなく確実に回収できる。
【００３３】
次に、本発明の手押し型の切断機の集塵装置では、搭載台に切断機を乗せて、その回収ケースの排出口を吸引ホースに接続すれば、回収ケース内に溜まっている切断粉を回収できる。従って、切断作業は、切断機単体を取り回して行えばよいので、取り回しがよく、切断機を搭載台に載せて切断粉の回収を行う際には、次の作業の段取りを行うことができる。よって、効率良く切断作業および切断粉の回収作業を行うことが可能になる。
【図面の簡単な説明】
【図１】（ａ）および（ｂ）は、本発明の集塵装置を備えた卓上型の切断機を示す斜視図および切断状態を示す斜視図である。
【図２】（ａ）および（ｂ）は、本発明を適用した手押し型切断機の集塵装置を示す斜視図およびその使用状態を示す斜視図である。
【図３】（ａ）、（ｂ）および（ｃ）は、従来の集塵袋を備えた卓上型の切断機を示す斜視図、切断時の状態を示す斜視図、および集塵袋の代わりに集塵機を備えた卓上型切断機を示す斜視図である。
【図４】（ａ）および（ｂ）は、切断粉の回収ケースを備えた手押し型の切断機を示す斜視図および回収ケースに集塵機が接続された手押し型の切断機を示す斜視図である。
【符号の説明】
１、１０  集塵装置
２  卓上型の切断機
３  被切断物
４  集塵機
５  カバー
６  手押し型の切断機
２１、６１  丸鋸刃
２２、６２  モータ
２３、６３  ハンドル
２４  材料搭載台
２５  上部鋸刃カバー
２６  下部鋸刃カバー
２７  排出口
４１  吸引ホース
４２  第１の吸引口
４３  第２の吸引口
７１  搭載面
７２  集塵機取り付け部
【図１】
2005014309.tif 000003
【図２】
2005014309.tif 000004
【図３】
2005014309.tif 000005
【図４】
2005014309.tif 000006
【手続補正書】
【提出日】平成15年7月29日(2003.7.29)
【手続補正１】
【補正対象書類名】図面
【補正対象項目名】全図
【補正方法】変更
【補正の内容】
【図１】
2005014309.tif 000007
【図２】
2005014309.tif 000008
【図３】
2005014309.tif 000009
【図４】
2005014309.tif 000010